(57)【要約】【課題】  波長変換された蛍光を検出することにより、放射線の２次元イメージを得る。【解決手段】  蛍光波長を他の波長にシフトさせる機能を持つ波長シフター板の上面に、横方向および縦方向に決められた間隔で波長シフター板の厚さの半分以上の深さの溝を作り、縦方向の溝に光ファイバ束を配置し、横方向の溝には、蛍光を反射する反射材を埋め込んだ構造とし、波長シフター板の下面に上記の光ファイバと直交する方向である横方向に光ファイバ束を配置し、上面に放射線により蛍光を発生する放射線検出体を配置し、放射線検出体から発生する蛍光を波長シフター板の波長シフト機能により他の波長に変換し、波長変換された蛍光を波長シフター板の溝内に配置した光ファイバ束と上面あるいは下面に配置した光ファイバ束により検出することにより、放射線の２次元イメージを得る。【選択図】図１０
2010072000.tif 000002
【特許請求の範囲】
【請求項１】
放射線が入射すると蛍光を発生するシンチレータ板の上面に、横方向および縦方向に決められた間隔でシンチレータ板の厚さの半分以上の深さの溝を作り、縦方向の溝に光ファイバ束を配置し、横方向の溝には蛍光を反射する反射材を埋め込んだ構造とし、シンチレータ板の上面あるいは下面あるいは上面と下面に上記の光ファイバと直交する方向である横方向に光ファイバ束を配置し、横方向と縦方向の溝で区切ることによって作られた検出ピクセル内に入射した放射線の蛍光をシンチレータ板の溝内に配置した光ファイバ束と上面あるいは下面あるいは上面と下面に配置した光ファイバ束により検出することにより、放射線の２次元イメージを得ることを特長とした２次元放射線イメージ検出器。
【請求項２】
放射線が入射すると蛍光を発生するシンチレータ板の上面に、横方向および縦方向に決められた間隔でシンチレータ板の厚さの半分以上の深さの溝を作り、縦方向の溝に光ファイバ束を配置し、横方向の溝には蛍光を反射する反射材を埋め込んだ構造とし、シンチレータ板の下面に上記の光ファイバと直交する方向の横方向に光ファイバ束を配置し、上面に放射線により蛍光を発生する放射線検出体を配置し、この放射線検出体から発生する蛍光を横方向と縦方向の溝で区切ることによって作られた検出ピクセル内に入射した放射線の蛍光と放射線検出体から発生する蛍光をシンチレータ板の溝内に配置した光ファイバ束と下面に配置した光ファイバ束により検出することにより、放射線の２次元イメージを得ることを特長とした２次元放射線イメージ検出器。
【請求項３】
蛍光波長を十分透過させる透過率を有する蛍光集光板の上面に、横方向および縦方向に決められた間隔で蛍光集光板の厚さの半分以上の深さの溝を作り、縦方向の溝に光ファイバ束を配置し、横方向の溝には、蛍光を反射する反射材を埋め込んだ構造とし、蛍光集光板の下面の上記の光ファイバ束と直交する方向である横方向に光ファイバ束を配置し、上面に放射線により蛍光を発生する放射線検出体を配置し、放射線検出体から発生する蛍光を横方向と縦方向の溝で区切ることによって作られた検出ピクセル内に入ってくる放射線検出体から発生する蛍光を蛍光集光板の溝内に配置した光ファイバ束と下面に配置した光ファイバ束により検出することにより、放射線の２次元イメージを得ることを特長とした２次元放射線イメージ検出器。
【請求項４】
蛍光波長を他の波長にシフトさせる機能を持つ波長シフター板の上面に、横方向および縦方向に決められた間隔で波長シフター板の厚さの半分以上の深さの溝を作り、縦方向の溝に光ファイバ束を配置し、横方向の溝には、蛍光を反射する反射材を埋め込んだ構造とし、波長シフター板の下面に上記の光ファイバと直交する方向である横方向に光ファイバ束を配置し、上面に放射線により蛍光を発生する放射線検出体を配置し、放射線検出体から発生する蛍光を波長シフター板の波長シフト機能により他の波長に変換し、波長変換された蛍光を波長シフター板の溝内に配置した光ファイバ束と上面あるいは下面に配置した光ファイバ束により検出することにより、放射線の２次元イメージを得ることを特長とした２次元放射線イメージ検出器。
【請求項５】
シンチレータ板、蛍光集光板あるいは波長シフター板の上面及び下面に、横方向について上面と下面交互に、および縦方向について上面と下面交互に、決められた間隔で前記板の厚さの半分以上の深さの溝を作り、横方向と縦方向の溝で区切ることによって作られた検出ピクセル群を適用して、放射線の２次元イメージを得ることを特長とした請求項２ないし４のいずれか１項に記載の２次元放射線イメージ検出器。
【請求項６】
矩形のシンチレータブロックを横方向及び縦方向にそれぞれ平面に並べ、縦方向の各矩形のシンチレータの相対する側面に光ファイバ束を配置し、横方向の相対する側面に反射材を配置し、かつシンチレータブロックの上面に反射材を配置すると共に、平面に並べたシンチレータブロックの下面に側面に配置した光ファイバ束と直交する方向である横方向に光ファイバ束を配置した構造とし、各矩形のシンチレータブロックに入射した放射線の蛍光をシンチレータブロックの側面に配置した光ファイバ束と下面に配置した光ファイバ束により検出することにより、放射線の２次元イメージを得ることを特長とした２次元放射線イメージ検出器。
【請求項７】
矩形のシンチレータブロックを横方向及び縦方向にそれぞれ平面に並べ、縦方向の各矩形のシンチレータブロックの相対する側面に光ファイバ束を配置し、横方向の相対する側面に反射材を配置し、平面に並べたシンチレータブロックの上面及び下面に側面に配置した光ファイバ束と直交する方向である横方向に、光ファイバ束を配置した構造とし、各矩形のシンチレータブロックに入射した放射線の蛍光をシンチレータブロックの側面に配置した光ファイバ束と上面及び下面に配置した光ファイバ束により検出することにより、放射線の２次元イメージを得ることを特長とした２次元放射線イメージ検出器。
【請求項８】
矩形のシンチレータブロックを横方向及び縦方向にそれぞれ平面に並べ、縦方向の各矩形のシンチレータブロックの相対する側面に光ファイバ束を配置し、横方向の相対する側面に反射材を配置し、かつシンチレータブロックの上面に放射線により蛍光を発生する放射線検出体を配置すると共に、平面に並べたシンチレータブロックの下面に側面に配置した光ファイバ束と直交する方向にである横方向に、光ファイバ束を配置した構造とし、各矩形のシンチレータブロックに入射した放射線の蛍光と放射線検出体から発生する蛍光をシンチレータブロックの側面に配置した光ファイバ束と下面に配置した光ファイバ束により検出することにより、放射線の２次元イメージを得ることを特長とした２次元放射線イメージ検出器。
【請求項９】
蛍光波長を十分透過させる透過率を有する矩形の蛍光集光ブロックを横方向及び縦方向にそれぞれ平面に並べ、縦方向の各矩形の蛍光集光ブロックの相対する側面に光ファイバ束を配置し、横方向の相対する側面に反射材を配置し、かつ蛍光集光ブロックの上面に放射線により蛍光を発生する放射線検出体を配置すると共に、平面に並べた蛍光集光ブロックの下面に側面に配置した光ファイバ束と直交する方向である横方向に光ファイバ束を配置した構造とし、各矩形の蛍光集光ブロックに配置した放射線検出体から発生する蛍光を蛍光集光ブロックの側面に配置した光ファイバ束と下面に配置した光ファイバ束により検出することにより、放射線の２次元イメージを得ることを特長とした２次元放射線イメージ検出器。
【請求項１０】
蛍光波長を他の波長にシフトさせる機能を持つ矩形の波長シフターブロックを横方向及び縦方向にそれぞれ平面に並べ、縦方向の各矩形の波長シフターブロックの相対する側面に光ファイバ束を配置し、横方向の相対する側面に反射材を配置し、かつ波長シフターブロックの上面に放射線により蛍光を発生する放射線検出体を配置すると共に、平面に並べた波長シフターブロックの下面に側面に配置した光ファイバ束と直交する方向に、光ファイバ束を配置した構造とし、各矩形の波長シフターブロックに配置した放射線検出体から発生する蛍光を波長シフターブロックの波長シフト機能により他の波長に変換し、波長変換された蛍光を波長シフターブロックの側面に配置した光ファイバ束と下面に配置した光ファイバ束により検出することにより、放射線の２次元イメージを得ることを特長とした２次元放射線イメージ検出器。
【請求項１１】
矩形のシンチレータブロックを横方向及び縦方向にそれぞれ平面に並べ、縦方向の各矩形のシンチレータブロックの相対する側面に光ファイバ束を装着すると共に、横方向の各矩形のシンチレータブロックの相対する側面に光ファイバ束を配置し、かつシンチレータブロックの上面あるいは下面あるいは上面と下面に放射線により蛍光を発生する放射線検出体を配置した構造とし、各矩形のシンチレータブロックに入射した放射線の蛍光と上面あるいは下面あるいは上面と下面に配置した放射線検出体から発生する蛍光をシンチレータブロックの縦方向の側面と横方向の側面に配置した光ファイバ束とにより検出し、放射線の２次元イメージを得ることを特長とした２次元放射線イメージ検出器。
【請求項１２】
蛍光波長を十分透過させる透過率を有する矩形の蛍光集光ブロックを横方向及び縦方向にそれぞれ平面に並べ、縦方向の各矩形の蛍光集光ブロックの相対する側面に光ファイバ束を装着すると共に、横方向の各矩形の蛍光集光ブロックの相対する側面に光ファイバ束を配置し、かつ蛍光集光ブロックの上面あるいは下面あるいは上面と下面に放射線により蛍光を発生する放射線検出体を配置した構造とし、各矩形の蛍光集光ブロックの上面あるいは下面あるいは上面と下面に配置した放射線検出体から発生する蛍光を蛍光集光ブロックの縦方向の側面と横方向の側面に配置した光ファイバ束とにより検出し、放射線の２次元イメージを得ることを特長とした２次元放射線イメージ検出器。
【請求項１３】
蛍光波長を他の波長にシフトさせる機能を持つ矩形の波長シフターブロックを横方向及び縦方向にそれぞれ平面に並べ、縦方向の各矩形の波長シフターブロックの相対する側面に光ファイバ束を装着すると共に、横方向の各矩形の波長シフターブロックの相対する側面に光ファイバ束を配置し、かつ波長シフターブロックの上面あるいは下面あるいは上面と下面に放射線により蛍光を発生する放射線検出体を配置した構造とし、各矩形の波長シフターブロックの上面あるいは下面あるいは上面と下両に配置した放射線検出体から発生する蛍光を波長シフターブロックの波長シフト機能により他の波長に変換し、波長変換された蛍光を波長シフターブロックの縦方向の側面と横方向の側面に配置した光ファイバ束とにより検出し、放射線の２次元イメージを得ることを特長とした２次元放射線イメージ検出器。
【請求項１４】
矩形の各ブロックに、縦方向及び横方向の各矩形のブロックの相対する側面に光ファイバ束を装着する際に、１つおきに縦方向及び横方向の光ファイバ束を上下にクロスさせるように配置することを特長とした請求項１１ないし１３のいずれか１項に記載の２次元放射線イメージ検出器。
【請求項１５】
シンチレータとして少なくとも中性子コンバータである6Ｌｉ、10Ｂ、あるいはＧｄの１つの元素を含んだシンチレータを用い、かつ中性子検出体として中性子コンバータである6Ｌｉ、10Ｂ、あるいはＧｄの少なくとも１つの元素を含んだ材料を用いることにより、中性子の２次元イメージを得ることを特長とした請求項１ないし１４のいずれか１項に記載の２次元中性子イメージ検出器。
【請求項１６】
放射線が入射すると蛍光を発生する液体シンチレータを検出媒体とし、蛍光を反射できる材料で作られた格子状に区切られた反射体ブロックを液体シンチレータを封じ切ることができる検出容器に配置した後、液体シンチレータを満たし、放射線が入射して各格子内の液体シンチレータから発生した蛍光を、各格子の上部と下部に直交するように配置された光ファイバ束により検出し、放射線の２次元イメージを得ることを特長とした２次元放射線イメージ検出器。
【請求項１７】
放射線が入射すると蛍光を発生する液体シンチレータを検出媒体とし、液体シンチレータを封じ切ることができる検出容器内に液体シンチレータを満たし、縦方向と横方向に直交するように光ファイバ束を一定間隔で格子状にした光ファイバ検出ブロックを検出容器の高さ方向に１個以上重ねて配置し、放射線が入射してそれぞれの格子内の液体シンチレータから発生した蛍光を、配置した光ファイバ検出ブロックにより検出し、放射線の２次元イメージを得ることを特長とした２次元放射線イメージ検出器。
【請求項１８】
液体シンチレータを収納できる検出容器内の上部あるいは下部あるいは上部と下部の両方に放射線が入射すると蛍光を発生する放射線検出体を配置し、それぞれの格子内の放射線検出体により発生する蛍光と液体シンチレータから発生した蛍光を、光ファイバ束により検出し、放射線の２次元イメージを得ることを特長とした請求項１７に記載の２次元放射線イメージ検出器。
【請求項１９】
液体シンチレータを収納できる検出容器に、液体シンチレータを循環するため、少なくともバルブ、配管、及びポンプから構成される液体シンチレータ循環機構を付加した構造の請求項１６ないし１８のいずれか１項に記載の２次元放射線イメージ検出器。
【請求項２０】
液体シンチレータの中に中性子コンバータである6Ｌｉ、10Ｂ、あるいはＧｄの少なくとも１つの元素を含んだ材料を混合し、かつ放射線検出体と組あわせる場合には放射線検出体に中性子コンバータである6Ｌｉ、10Ｂ、あるいはＧｄの少なくとも１つの元素を含んだ構成とし、中性子の２次元イメージを得ることを特長とした請求項１６ないし１９のいずれか１項に記載の２次元中性子イメージ検出器。
【請求項２１】
光ファイバ束から放出される蛍光を検出する光検出器としてストリークカメラを用い、ストリークカメラによって検出された光ファイバ束から放出される蛍光の時系列データを同時計測法に基づいて解析することにより放射線あるいは中性子の２次元イメージを収得することを特長とした、請求項１ないし２０のいずれか１項に記載の２次元放射線イメージ検出器あるいは２次元中性子イメージ検出器。
【発明の詳細な説明】
【技術分野】
【０００１】
本発明は、放射線検出体としてシンチレータおよび蛍光体を用いて２次元放射線イメージを得る検出器に関するものであり、短蛍光寿命のシンチレータおよび蛍光体と波長シフトファイバとを組み合わせた検出器を構成することにより、放射線が高い入射率で入った場合でも２次元放射線イメージを高速にかつ位置精度良く検出できることを特長としている。特に中性子コンバータと組み合わせた２次元中性子イメージングも可能としており、このため、原子炉や加速器を用いた中性子散乱あるいは放射光を用いたＸ線散乱等による物性物理研究や構造生物学の研究、 Ｘ線発生装置や加速器を用いた医療Ｘ線診断、Ｘ線あるいは中性子を用いたオートラジオグラフィなどに使用される。また、加速器を用いた高エネルギー物理研究用の放射線イメージ検出器等の高速処理及び実時間放射線画像検出を用いた動的な事象の把握に使用され、かつ原子炉や核融合炉における中性子を含めた放射線の高機能な分布モニタ装置などにも使用される。
【背景技術】
【０００２】
従来より、シンチレータあるいは蛍光体に放射線が入射した際に発生する蛍光を横方向および縦方向に格子状に配置した波長シフトファイバ等の光ファイバ束を利用して検出し放射線の入射位置を決定する方法を用いた２次元放射線イメージ検出器が使用されてきた。シンチレータを用いた検出器の場合、２次元化するのに図３１（K. Kuroda他: Nucl. Instr. ａnd Meth. A430(1999)311-320）あるいは図３２（片桐政樹：特開２０００−１８７０７７）に示すように１つのピクセルを１つのシンチレータで構成する必要があるため比較的にサイズの大きなシンチレータを用いることから、位置分解能が５ｍｍ程度以上で比較的に大きな面積の２次元放射線イメージ検出器に用いられてきた。
【０００３】
一方、蛍光体を用いた場合、薄い蛍光シートを用い横方向および縦方向に格子状に配置した波長シフトファイバ等の光ファイバ束を利用して検出するため、蛍光の検出効率を上げるには光ファイバ束の配置間隔を短くする必要があることから、位置分解能が２ｍｍ程度以下で比較的に小さい面積の２次元放射線イメージ検出器に用いられてきた。
【０００４】
一方、このような検出器の場合、蛍光寿命の短いシンチレータあるいは蛍光体が使用され、発生する蛍光を横方向および縦方向に格子状に配置した波長シフトファイバ等の光ファイバを利用して検出するため、光検出器に到達する光子は蛍光量の多いＺｎＳ：Ａｇ等の一部の蛍光体を除いて数１０個以下である。このため、放射線が入射した場合、ポアソン分布にしたがって蛍光が発生することを利用し、横方向および縦方向の波長シフトファイバからの蛍光を光電子増倍管、その信号を増幅する増幅回路、信号のタイミングを取り出す波高弁別回路、一定時間幅パルス発生回路および同時計数回路から構成する信号処理システムにより２次元化を図る方法がK. Kuroda等により考案された（K. Kuroda他: Nucl. Instr. ａnd Meth. A430(1999)311-320）。この方法の場合、 同時検出の一定以上の効率を確保するため横方向および縦方向に対応した信号の同時計数を行う場合に設定する同時計数（コインシデンス）時間は蛍光寿命の２倍程度以上の一定時間取る方法が使用されてきた。
【発明の概要】
【発明が解決しようとする課題】
【０００５】
本発明は、シンチレ−タあるいは蛍光体を用いた２次元放射線イメージ検出器において波長シフトファイバ等の光ファイバを利用して信号検出を行い２次元放射線イメージを求める場合、従来法によっては実装作業が困難であった小さなシンチレータを多数個平面に配置する２次元放射線イメージ検出器の製作を容易にすることを目的とする。
【０００６】
蛍光体シートなどを用いる２次元放射線イメージ検出器において実現が困難であった大きなピクセルを用いた２次元放射線イメージ検出器への蛍光体の適用を可能とすることを目的とする。
【０００７】
また、シンチレータ及び蛍光体を用いて２次元放射線イメージ検出器を構成する場合、放射線検出体の厚さを厚くすることが困難となり検出効率を上げることが難しい場合でも、両者を組み合わせた構成にすることにより検出効率を改善することを目的とする。
【０００８】
さらに、蛍光寿命の短いシンチレータあるいは蛍光体を使用し、発生する蛍光を縦方向および横方向に格子状に配置した波長シフトファイバ等の光ファイバを利用して光子検出する方法を用いた２次元放射線イメージ検出器の高計数率化を目的とする。
【０００９】
また、放射線ばかりではなく中性子の２次元中性子イメージ検出を高速に、かつ容易に行うことができる検出装置を提供することも目的としている。
【課題を解決するための手段】
【００１０】
上記目的を達成するため、本発明においては、シンチレータを用いた２次元放射線イメージ検出器の場合、面積の大きなシンチレータ板をもとに、シンチレータ板の横方向及び縦方向に決められたピクセルサイズの間隔で溝を作り、溝にＭｇＯなどの蛍光反射材、あるいは蛍光を反射すると共にガンマ線吸収率の大きい材料、あるいは蛍光を反射すると共に中性子吸収断面積の大きい材料を埋め込むことにより、ピクセル間の蛍光漏洩を防ぐと共に蛍光検出面での蛍光放射効率を向上させ、かつガンマ線あるいは中性子吸収能力の大きい材料を用いることにより、ガンマ線あるいは中性子に対する位置検出性能を向上させる。また、溝に波長シフトファイバ等の光ファイバを配置し、ピクセルの側面からの蛍光読み出しを行うことにより多機能な放射線イメージ検出を可能とする。
【００１１】
蛍光体の場合については、蛍光集光用の基板として透明ブロックあるいは波長シフターブロックあるいはシンチレータブロック等を用い、従来法である基板の側面に波長シフトファイバ等の光ファイバを配置し蛍光を検出して２次元放射線イメージ検出器とする。
放射線検出体を蛍光体とシンチレータとを組み合わせて使用でき構造にすることにより、蛍光体の厚さを厚くすることが難しく検出効率を上げることが困難な場合にも検出効率を向上させることが可能とする。
【００１２】
さらに、蛍光寿命の短いシンチレータあるいは蛍光体を使用し、発生する蛍光を横方向および縦方向に格子状に配置した波長シフトファイバ等の光ファイバを利用して検出する２次元放射線イメージ検出器において、出力された横方向光子検出信号及び縦方向光子検出信号を基に放射線イメージを構成する場合に、波高弁別器から出力されるタイミングパルス信号を基に、再トリガ可能な状態でパルスを発生する再トリガブルパルス信号発生器を用いて検出媒体の蛍光寿命に対応してポアソン分布に基づいて時間幅が決められ発生するパルス信号を発生させ、この信号を用いて同時計測法をもとに２次元放射線イメージを求めることにより高計数率化を図る。
【００１３】
一方、検出体内に中性子を電離可能な放射線に変換する中性子コンバータ材である6Ｌｉ、10ＢあるいはＧｄを一種類以上含み、あるいは混合し、あるいは組み合わせた中性子用検出体を用いることにより、２次元中性子イメージを得ることができる。
【発明の効果】
【００１４】
本発明は、以上に説明したように構成されているので以下に記載されるような効果を奏する。従来には多数のシンチレータブロックを配置するため製作するのに手間がかかりかつ困難であったシンチレータを用いた２次元放射線イメージ検出器を、本発明により面積の大きなシンチレータ板をもとに容易に製作ができるようなるため、コストの安い大面積の２次元放射線イメージ検出器を製作することができる。
【００１５】
蛍光反射材であると共にガンマ線あるいは中性子の吸収材である材料を検出体の側面に配置することにより、ガンマ線あるいは中性子に対する位置検出性能を向上させた放射線イメージ検出器あるいは中性子イメージ検出器が実現できる。
【００１６】
蛍光体と透明ブロックあるいは波長シフターブロックあるいはシンチレータブロックなどを組み合わせて用いることにより、従来法ではできなかった比較的大きな面積のピクセルをもつ大面積の蛍光体を用いた２次元放射線イメージ検出器を実現することができる。
【００１７】
さらに、蛍光体とシンチレータとを組み合わせて使用できる構造にすることにより、検出効率を向上させたあるいは多機能な放射線イメージ検出器が実現できる。
【００１８】
一方、横方向光子検出信号及び縦方向光子検出信号を基に同時計測法により放射線イメージを得る検出器の場合、同時計測に用いるパルス信号として再トリガブルパルス信号発生器を用いて検出媒体の蛍光寿命に対応してポアソン分布に基づいて時間幅が決められ発生するパルス信号を用いることにより、高計数率に対応した２次元放射線イメージ検出器を実現できる。
【００１９】
シンチレータあるいは蛍光体を用いた上記放射線イメージ検出器と中性子コンバータ材とを組み合わせて使用することにより、２次元中性子イメージ検出器を実現できる。シンチレータ及び蛍光体の厚さとしてはあまり厚くないものが位置分解能の点から良いため、Ｘ線イメージ検出器あるいは２次元中性子イメージ検出器として最適なものを作製することができる。
【図面の簡単な説明】
【００２０】
【図１】シンチレータ板を素材とし、シンチレータ板の横方向と縦方向の上面に作製された溝に蛍光反射材を埋め込んで区切ることによって作られた検出ピクセル群から構成される２次元放射線イメージ検出器の実施例である。
【図２】シンチレータ板を素材とし、シンチレータ板の横方向と縦方向に上面と下面とに交互に作製された溝に蛍光反射材を埋め込んで区切ることによって作られた検出ピクセル群から構成される２次元放射線イメージ検出器の実施例である。
【図３】シンチレータ板を素材とし、シンチレータ板の横方向と縦方向の上面に作製された溝に放射線吸収材を埋め込んで区切ることによって作られた検出ピクセル群から構成される２次元放射線イメージ検出器の実施例である。
【図４】中性子コンバータを含んだシンチレータ板を素材とし、シンチレータ板の横方向と縦方向の上面に作製された溝に中性子吸収材を埋め込んで区切ることによって作られた検出ピクセル群から構成される２次元中性子イメージ検出器の実施例である。
【図５】シンチレータ板を素材とし、シンチレータ板の横方向と縦方向の上面に作製された溝に配置した波長シフトファイバ束とシンチレータ板の下面に配置した波長シフトファイバ束を用いて、シンチレータから放出される蛍光を検出することにより、放射線の２次元イメージを得る２次元放射線イメージ検出器の実施例である。
【図６】シンチレータ板を素材とし、シンチレータ板の横方向と縦方向の上面に作製された溝に配置した波長シフトファイバ束とシンチレータ板の下面に配置した波長シフトファイバ束を用い、シンチレータ板の上面に配置した放射線検出体とシンチレータから放出される蛍光を検出することにより、放射線の２次元イメージを得る２次元放射線イメージ検出器の実施例である。
【図７】Ｌｉガラスシンチレータの上面に配置した蛍光体Ｙ2ＳｉＯ5：Ｃｅのα線による蛍光をＬｉガラスシンチレータを介してその側面で蛍光スペクトルを検出した例（上図）である。比較のため、Ｌｉガラスシンチレータの背面で測定した例を下図に示す。
【図８】蛍光集光体である石英ガラス板を素材とし、石英ガラス板の縦方向の上面に作製された溝に配置した波長シフトファイバ束とシンチレータ板の下面に配置した光ファイバ束を用いて、石英ガラスから放出される蛍光を検出することにより、放射線の２次元イメージを得る２次元放射線イメージ検出器の実施例である。
【図９】石英ガラスの上面に配置した蛍光体Ｙ2ＳｉＯ5：Ｃｅのα線による蛍光を石英ガラスを介してその側面で蛍光スペクトルを検出した例である。
【図１０】蛍光集光体である波長シフター板を素材とし、波長シフター板の縦方向の上面に作製された溝に配置した波長シフトファイバ束とシンチレータ板の下面に配置した波長シフトファイバ束を用いて、波長シフターにより波長変換された蛍光を検出することにより、放射線の２次元イメージを得る２次元放射線イメージ検出器の実施例である。
【図１１】波長シフターの上面に配置した蛍光体Ｙ2ＳｉＯ5：Ｃｅのα線による蛍光を波長シフターを介してその側面で蛍光スペクトルを検出した例である。
【図１２】シンチレータ板を素材とし、シンチレータ板の横方向と縦方向に上面と下面とに交互に溝を作製し、縦方向の溝に配置した波長シフトファイバ束とシンチレータ板の下面に配置した波長シフトファイバ束を用いて、シンチレータから放出される蛍光を検出することにより、放射線の２次元イメージを得る２次元放射線イメージ検出器の実施例である。
【図１３】平面に並べた矩形のシンチレータブロックの上面と下面の横方向に配置した波長シフトファイバ束とシンチレータブロックの側面の縦方向に配置した波長シフトファイバ束を用いて、シンチレータから放出される蛍光を検出することにより、放射線の２次元イメージを得る２次元放射線イメージ検出器の実施例である。
【図１４】平面に並べた矩形のシンチレータブロックの縦方向の相対する側面に配置した波長シフトファイバ束とシンチレータブロックの下面の横方向に配置した波長シフトファイバ束を用いて、シンチレータから放出される蛍光を検出することにより、放射線の２次元イメージを得る２次元放射線イメージ検出器の実施例である。
【図１５】平面に並べた矩形のシンチレータブロックの縦方向の相対する側面に配置した波長シフトファイバ束とシンチレータブロックの下面の横方向に配置した波長シフトファイバ束を用いて、シンチレータブロックの上面に配置した放射線検出体とシンチレータから放出される蛍光を検出することにより、放射線の２次元イメージを得る２次元放射線イメージ検出器の実施例である。
【図１６】平面に並べた矩形の蛍光集光体である石英ガラスブロックの縦方向の相対する側面に配置した波長シフトファイバ束と石英ガラスブロックの下面の横方向に配置した波長シフトファイバ束を用いて、石英ガラスブロックの上面に配置した放射線検出体から放出される蛍光を検出することにより、放射線の２次元イメージを得る２次元放射線イメージ検出器の実施例である。
【図１７】平面に並べた矩形の蛍光集光体である波長シフターブロックの縦方向の相対する側面に配置した波長シフトファイバ束と波長シフターブロックの下面の横方向に配置した波長シフトファイバ束を用いて、波長シフターブロックの上面に配置した放射線検出体から放出され波長シフターブロックにより波長変換された蛍光を検出することにより、放射線の２次元イメージを得る２次元放射線イメージ検出器の実施例である。
【図１８】平面に並べた矩形のシンチレータブロックの縦方向の相対する側面と横方向の相対する側面に配置した波長シフトファイバ束を用いて、シンチレータブロックの上面と下面に配置された放射線検出体とシンチレータブロックから放出される蛍光を検出することにより、放射線の２次元イメージを得る２次元放射線イメージ検出器の実施例である。
【図１９】平面に並べた矩形の蛍光集光体である石英ガラスブロックの縦方向の相対する側面と横方向の相対する側面に配置した波長シフトファイバ束を用いて、石英ガラスブロックの上面と下面に配置された放射線検出体から放出される蛍光を検出することにより、放射線の２次元イメージを得る２次元放射線イメージ検出器の実施例である。
【図２０】平面に並べた矩形の蛍光集光体である波長シフターブロックの縦方向の相対する側面と横方向の相対する側面に配置した波長シフトファイバ束を用いて、波長シフターブロックの上面と下面に配置された放射線検出体から放出され波長シフターブロックにより波長変換された蛍光を検出することにより、放射線の２次元イメージを得る２次元放射線イメージ検出器の実施例である。
【図２１】縦方向及び横方向の矩形のブロックの相対する側面に波長シフトファイバ束を配置する際に、１つおきに縦方向及び横方向の波長シフトファイバ束を上下にクロスさせるように配置した実施例である。
【図２２】中性子コンバータを含んだシンチレータ板を素材とし、シンチレータ板の縦方向の上面に作製された溝に配置した波長シフトファイバ束とシンチレータ板の下面に配置した波長シフトファイバ束を用い、シンチレータ板の上面に配置した放射線検出体とシンチレータから放出される蛍光を検出することにより、中性子の２次元イメージを得る２次元中性子イメージ検出器の実施例である。
【図２３】格子状に区切られた反射体ブロックを内部に配置した、液体シンチレータを満たした検出容器の上部と下部に直交するように配置された波長シフトファイバ束を用いて、格子状に区切られた液体シンチレータから放出される蛍光を検出することにより、放射線の２次元イメージを得る２次元放射線イメージ検出器の実施例である。
【図２４】縦方向と横方向に直交するように波長シフトファイバ束を格子状にした光ファイバ検出ブロックを液体シンチレータを満たした検出容器の高さ方向に１個配置し、光ファイバ検出ブロックにより格子状に区切られた液体シンチレータから放出される蛍光を検出することにより、放射線の２次元イメージを得る２次元放射線イメージ検出器の実施例である。
【図２５】縦方向と横方向に直交するように波長シフトファイバ束を格子状にした光ファイバ検出ブロックを液体シンチレータを満たした検出容器の高さ方向に１個配置し、光ファイバ検出ブロックにより格子状に区切られた検出容器の上面と下面に配置した放射線検出体と液体シンチレータから放出される蛍光を検出することにより、放射線の２次元イメージを得る２次元放射線イメージ検出器の実施例である。
【図２６】液体シンチレータを満たした検出容器にバルブ、配管、及びポンプから構成される液体シンチレータ循環機構を付加した構造の２次元放射線イメージ検出器の例である。
【図２７】縦方向と横方向に直交するように波長シフトファイバ束を格子状にした光ファイバ検出ブロックを中性子コンバータを含んだ液体シンチレータを満たした検出容器の高さ方向に１個配置し、光ファイバ検出ブロックにより格子状に区切られた検出容器の上面と下面に配置した中性子検出体と液体シンチレータから放出される蛍光を検出することにより、中性子の２次元イメージを得る２次元中性子イメージ検出器の実施例である。
【図２８】シンチレータ板を素材とし、シンチレータ板の横方向と縦方向の上面に作製された溝に蛍光反射材を埋め込んで区切ることによって作られた検出ピクセル群から構成される２次元放射線イメージ検出器の蛍光検出用検出器としてストリークカメラを用いた実施例である。
【図２９】従来のパルス発生器を用いた一定時間幅パルス発生法と本発明の再トリガ可能な再トリガブルパルス信号発生器を用いてポアソン分布に基づいて時間幅が決められパルス信号を発生する方法の比較図である。
【図３０】中性子コンバータを含んだシンチレータ板を素材とし、シンチレータ板の縦方向の上面に作製された溝に配置した波長シフトファイバ束とシンチレータ板の下面に配置した波長シフトファイバ束を用い、シンチレータ板の上面に配置した中性子検出体とシンチレータから放出される蛍光をもとに作り出されるパルス信号を、パラレル信号入力回路と信号収録・解析装置を用いて時系列信号として収録し、同時計測法に基づき解析し、中性子の２次元イメージを得る２次元中性子イメージ検出器の実施例である。
【図３１】シンチレータブロック上面の縦方向と下面の横方向に直交するように配置した波長シフトファイバ束を用いて、シンチレータブロックから放出される蛍光を検出することにより、放射線の２次元イメージを得る２次元放射線イメージ検出器の従来方法の例である。
【図３２】シンチレータブロックの縦方向及び横方向の相対する側面に直交するように配置した波長シフトファイバ束を用いて、シンチレータブロックから放出される蛍光を検出することにより、放射線の２次元イメージを得る２次元放射線イメージ検出器の従来方法の例である。
【発明を実施するための形態】
【００２１】
シンチレータを用いた２次元放射線イメージ検出器において、従来法では多数のシンチレータブロックを配置するため製作するのに手間がかかっていたものを面積の大きなシンチレータ板をもとに溝を入れることにより容易に製作ができるようなる。蛍光反射材であると共にガンマ線あるいは中性子吸収材を側面に配置する方法を用いることにより、蛍光検出面での蛍光放射効率を上げると同時にガンマ線あるいは中性子に対する位置検出性能を向上させることができる。また、ピクセルの側面からの蛍光読み出しを行うことにより多機能な放射線イメージ検出が可能となる。
【００２２】
蛍光体を用いた２次元放射線イメージ検出器において、蛍光読み出し用の基板として透明基板あるいは波長シフター基板あるいはシンチレータ板等を用いることにより、従来法ではできなかった比較的大きな面積のピクセルをもつ大面積２次元放射線イメージ検出器を可能とすることができる。
【００２３】
さらに、蛍光体とシンチレータとを組み合わせて使用できる構造にすることにより、検出効率を向上させたあるいは多機能な放射線イメージ検出が可能となる。一方、横方向光子検出信号及び縦方向光子検出信号を基に放射線イメージを構成する場合に、波高弁別器から出力されるタイミングパルス信号を基に再トリガ可能な状態でパルスを発生する再トリガブルパルス信号発生器を用いて検出媒体の蛍光寿命に対応してポアソン分布に基づいて時間幅が決められ発生するパルス信号を発生させ、この信号を用いて同時計測法をもとに２次元放射線イメージを求める。従来法の一定時間幅を発生するパルス発生器を用いるより、同時計測に用いるパルス時間幅を短くすることができるため、高計数率化を図ることができる。
【００２４】
シンチレータあるいは蛍光体と中性子コンバータ材とを組み合わせて使用することにより、２次元中性子イメージを得ることができる。
（実施例１）
実施例１として、本発明による２次元放射線イメージ検出器について図１を参照して述べる。本発明は、放射線が入射すると蛍光を発生するシンチレータ板の上面に、横方向および縦方向に決められた間隔でシンチレータ板の厚さの半分以上の深さの溝を作り、この溝に蛍光を反射する反射材を埋め込むことにより、横方向と縦方向の溝で区切ることによって作られた検出ピクセル群を構成し、検出ピクセル内に入射した放射線の蛍光を検出することにより、放射線の２次元イメージを得ることを特長としている。
【００２５】
２次元放射線イメージ検出体の素材として使用されるシンチレータ板としては、従来よりＸ線あるいはα線等の電離放射線の検出媒体として使用されてきた米国バイクロン社製プラスチックシンチレータＢＣ−４１２などが使用できる。蛍光寿命は３．３ｎｓであり、蛍光波長は４３４ｎｍである。実施例として、シンチレータ板の大きさを横幅１００ｍｍ、縦幅１００ｍｍそして厚さ２ｍｍとする。ダイヤモンドカッターなどを用いてこのシンチレータ板に横方向に２ｍｍ間隔で、縦方向に２ｍｍ間隔で幅０．５ｍｍそして深さ１．５ｍｍの溝を作る。この溝に、従来から使用されている蛍光反射材であるＡｌ2Ｏ3あるいはＭｇＯなどを埋め込むことにより、横方向と縦方向の溝に区切られた検出ピクセル群を構成する。シンチレータ板の厚さの半分以上の深さを形成することにより、検出ピクセル間の蛍光の漏洩による位置分解能の劣化はほとんどない。
【００２６】
本発明の２次元放射線イメージ検出体は、従来方法である検出ピクセル内に入射した放射線の蛍光を、２次元放射線イメージ検出体の上面に横方向の光ファイバ束をそして下面に縦方向の光ファイバ束に格子状に配置し、同時計数法を適用することにより２次元放射線イメージ検出器が構成できる。光ファイバ束としてはプラスチックシンチレータＢＣ−４１２の蛍光波長にあった米国バイクロン社製波長シフトファイバＢＣＦ−９２などを使用することができる。波長シフトファイバによる蛍光検出効率を上げるためには、波長シフトファイバの光検出器に接続しない端面に蛍光反射材を配置する。この方法により数１０％以上の検出効率の向上が得られる。また、図１では波長シフトファイバをピクセル毎に束として配置しているが、連続的に配置しても問題はない。この場合、検出ピクセル間にある波長シフトファイバを間引いて光検出器に接続しない方法を採ることも可能である。また。波長シフトファイバでの蛍光検出を多少上げる方法として波長シフトファイバ背面に蛍光反射材を置く方法も使用できる。
【００２７】
なお、２次元放射線イメージ検出体の素材として使用されるシンチレータ板としては、ガラスシンチレータ、ＣｓＩシンチレータ、ＹＡｌＯ3：Ｃｅシンチレータ、ＧＳＯシンチレータなどが使用できる。また、光ファイバ束として、光ファイバの側面の一部を削り取り、側面から光を入れることができる構成とした側面入射型光ファイバを用いることができる。
（実施例２）
実施例２として、本発明による２次元放射線イメージ検出器について図２を参照して述べる。本発明は、放射線が入射すると蛍光を発生するシンチレータ板の上面および下面に、横方向について上面と下面交互に、および縦方向について上面と下面交互に、決められた間隔でシンチレータ板の厚さの半分以上の深さの溝を作り、この溝に蛍光を反射する反射材を埋め込むことにより、横方向と縦方向の溝で区切ることによって作られた検出ピクセル群を構成し、検出ピクセル内に入射した放射線の蛍光を検出することにより、放射線の２次元イメージを得ることを特長としている。
【００２８】
本実施例としては、実施例１と同じ２次元放射線イメージ検出体であるプラスチックシンチレータＢＣ−４１２を用いることができ、シンチレータ板の大きさを横幅１００ｍｍ、縦幅１００ｍｍそして厚さ２ｍｍとする。ダイヤモンドカッターなどを用いてこのシンチレータ板の上面及び下面に、横方向について上面と下面交互に２ｍｍ間隔で、縦方向について上面と下面交互に２ｍｍ間隔で幅０．５ｍｍそして深さ１．５ｍｍの溝を作る。この溝に、従来から使用されている蛍光反射材であるＡｌ2Ｏ3あるいはＭｇＯなどを埋め込むことにより、上面と下面交互に作られた横方向と縦方向の溝に区切られた検出ピクセル群を構成する。本発明の２次元放射線イメージ検出体は、実施例1と同様の従来方法により２次元放射線イメージ検出器として構成できる。
（実施例３）
実施例３として、本発明による２次元中性子イメージ検出器について図３を参照して述べる。本発明は、上記実施例１あるいは２と同じ方法で２次元放射線イメージ検出体を作り、反射材として放射線遮蔽効果の大きな材料を用いて、検出ピクセル間に放射線遮蔽する機能を付加し放射線の２次元イメージを得ることを特長としている。
【００２９】
２次元放射線イメージ検出体の溝に元素番号４０以上の元素でありかつ白色で蛍光反射材にもなる銀粉末などを埋め込むことにより、検出ピクセル間を放射線遮蔽しコリメート機能を持たせ位置検出性能の向上を図ることができる。
（実施例４）
実施例４として、本発明による２次元中性子イメージ検出器について図４を参照して述べる。本発明は、シンチレータ板として少なくとも中性子コンバータである6Ｌｉ、10Ｂ、あるいはＧｄを含んだ材料を用い、このシンチレータ板を基に上記実施例１あるいは２と同じ方法で２次元放射線イメージ検出体を作り、反射材として中性子遮蔽効果の大きな材料を用いて、検出ピクセル間に中性子遮蔽する機能を付加し中性子の２次元イメージを得ることを特長としている。
【００３０】
本実施例では、シンチレータ板として、中性子コンバータである6Ｌｉを６．６％含む6Ｌｉガラスシンチレータ（バイクロン社製ＧＳ２０）を用いる。蛍光寿命は６０ｎｓであり、蛍光波長は３９０ｎｍである。この２次元放射線イメージ検出体の溝に反射材として中性子吸収断面積が大きい元素を含んだ材料でありかつ白色で蛍光反射材にもなるＧｄ2Ｏ3を埋め込むことにより、検出ピクセル間を中性子遮蔽しコリメート機能を持たせ位置検出性能の向上を図ることができる。
（実施例５）
実施例５として、本発明による２次元放射線イメージ検出器について図５を参照して述べる。本発明は、放射線が入射すると蛍光を発生するシンチレータ板の上面に、横方向および縦方向に決められた間隔でシンチレータ板の厚さの半分以上の深さの溝を作り、縦方向の溝に光ファイバ束を配置し、横方向の溝には蛍光を反射する反射材を埋め込んだ構造とし、シンチレータ板の上面あるいは下面あるいは上面と下面に上記の光ファイバと直交する方向である横方向に光ファイバ束を配置し、横方向と縦方向の溝で区切ることによって作られた検出ピクセル内に入射した放射線の蛍光をシンチレータ板の溝内に配置した光ファイバ束と上面あるいは下面あるいは上面と下面に配置した光ファイバ束により検出することにより、放射線の２次元イメージを得ることを特長としている。
【００３１】
２次元放射線イメージ検出体の素材として使用されるシンチレータ板としては、米国バイクロン社製プラスチックシンチレータＢＣ−４１２などが使用できる。蛍光寿命は３．３ｎｓであり、蛍光波長は４３４ｎｍである。実施例として、シンチレータ板の大きさを横幅２００ｍｍ、縦幅２００ｍｍそして厚さ２ｍｍとする。ダイヤモンドカッターなどを用いてこのシンチレータ板に横方向に５ｍｍ間隔で、縦方向に５ｍｍ間隔で幅０．６ｍｍそして深さ１．５ｍｍの溝を作る。横方向の溝に太さ０．５ｍｍの光ファイバを３本を配置し、縦方向の溝には、蛍光を反射する反射材として従来から使用されている蛍光反射材であるＡｌ2Ｏ3あるいはＭｇＯなどを埋め込む。横方向と縦方向の溝に区切られた検出ピクセルを構成する。溝内に配置した光ファイバ束と上面に太さ０．５ｍｍの光ファイバを１０本を配置した太さ光ファイバ束により検出ピクセル内に入射した放射線の蛍光を検出することにより、放射線の２次元イメージを得ることができる。光ファイバとして波長シフトファイバであるＢＣＦ−９２などを使用することができる。
（実施例６）
実施例６として、本発明による２次元放射線イメージ検出器について図６を参照して述べる。本発明は、放射線が入射すると蛍光を発生するシンチレータ板の上面に、横方向および縦方向に決められた間隔でシンチレータ板の厚さの半分以上の深さの溝を作り、縦方向の溝に光ファイバ束を配置し、横方向の溝には蛍光を反射する反射材を埋め込んだ構造とし、シンチレータ板の下面に上記の光ファイバと直交する方向の横方向に光ファイバ束を配置し、上面に放射線により蛍光を発生する放射線検出体を配置し、この放射線検出体から発生する蛍光を横方向と縦方向の溝で区切ることによって作られた検出ピクセル内に入射した放射線の蛍光と放射線検出体から発生する蛍光をシンチレータ板の溝内に配置した光ファイバ束と下面に配置した光ファイバ束により検出することにより、放射線の２次元イメージを得ることを特長としている。
【００３２】
本実施例では、２次元放射線イメージ検出体の素材として使用されるシンチレータ板として、Ｌｉガラスシンチレータを用いる。蛍光寿命は６０ｎｓであり、蛍光波長は３９０ｎｍである。実施例として、シンチレータ板の大きさを横幅２００ｍｍ、縦幅２００ｍｍそして厚さ２ｍｍとする。ダイヤモンドカッターなどを用いてこのシンチレータ板に横方向に５ｍｍ間隔で、縦方向に５ｍｍ間隔で幅０．６ｍｍそして深さ１．５ｍｍの溝を作る。横方向の溝に太さ０．５ｍｍの光ファイバを３本を配置し、縦方向の溝には、蛍光を反射する反射材として従来から使用されている蛍光反射材であるＡｌ2Ｏ3あるいはＭｇＯなどを埋め込む。横方向と縦方向の溝に区切られた検出ピクセルを構成する。
【００３３】
検出体としては、Ｌｉガラスシンチレータの蛍光波長である３９０ｎｍと近い蛍光波長の蛍光体Ｙ2ＳｉＯ5：Ｃｅなどが使用できる。蛍光寿命は４０ｎｓであり、蛍光波長は４１０ｎｍである。５ｍｍx５ｍｍのサイズで厚さ２ｍｍのＬｉガラスシンチレータの上面にＹ2ＳｉＯ5：Ｃｅの粉末を塗り、241Ａｍアルファ線源を用いて約５ＭｅＶのアルファ線を放射線検出体に照射した時Ｌｉガラスシンチレータの側面に放射される蛍光の蛍光スペクトルを図７に示す。シンチレータ側面で検出された蛍光の強度は、シンチレータ背面で検出された強度とあまり差はない。この結果、Ｙ2ＳｉＯ5：Ｃｅの蛍光がＬｉガラスシンチレータを介してその側面で蛍光を検出できることが確認されている。
【００３４】
従って、溝内に配置した光ファイバ束と上面に太さ０．５ｍｍの光ファイバを１０本を配置した太さ光ファイバ束により検出ピクセル内に入射した放射線の蛍光と放射線検出体に入射した放射線の蛍光とを検出することにより、放射線の２次元イメージを効率良く得ることができる。なお、光ファイバとしては４１０ｎｍの波長にも感度がある波長シフトファイバである米国バイクロン社製ＢＣＦ−９２などを使用することができる。
【００３５】
また、実施例では検出媒体として粉末状の蛍光体を用いたが薄いシンチレータなどでも構成することができる。また、図６では放射線検出体が検出ピクセル毎に配置されているが、シート状にした放射線検出体をシンチレータ板の上部全体に配置しても同様の結果が得られる。配置する際光学的グリースなどを用いて密着度を高めればさらに効果的である。
（実施例７）
実施例７として、本発明による２次元放射線イメージ検出器について図８を参照して述べる。本発明は、蛍光波長を十分透過させる透過率を有する蛍光集光板の上面に、横方向および縦方向に決められた間隔でシンチレータ板の厚さの半分以上の深さの溝を作り、縦方向の溝に光ファイバ束を配置し、横方向の溝には、蛍光を反射する反射材を埋め込んだ構造とし、蛍光集光板の下面の上記の光ファイバ束と直交する方向である横方向に光ファイバ束を配置し、上面に放射線により蛍光を発生する放射線検出体を置き、放射線検出体から発生する蛍光を横方向と縦方向の溝で区切ることによって作られた検出ピクセル内に入ってくる放射線検出体から発生する蛍光を蛍光集光板の溝内に配置した光ファイバ束と下面に配置した光ファイバ束により検出することにより、放射線の２次元イメージを得ることを特長としている。
【００３６】
本発明は、２次元放射線イメージ検出器の検出媒体として蛍光体、特に粉末上の蛍光体を用いる場合に使用される。たとえば、蛍光体としてはＸ線、β線あるいはα線の検出に使用されるＢａＦＢｒ：Ｅｕ2+、Ｙ2ＳｉＯ5：Ｃｅ、ＹＡｌＯ3：Ｃｅ、ＺｎＳ：Ａｇなどが使用できる。実施例では、Ｙ2ＳｉＯ5：Ｃｅを蛍光体として用いる。蛍光寿命は４０ｎｓであり、蛍光波長は４１０ｎｍである。蛍光波長を十分透過させる透過率を有する蛍光集光板としては、石英ガラスを用いる。石英ガラスは３００ｎｍ以上の波長に対して十分な透過性能を有している。実施例として、蛍光集光板の大きさを横幅２００ｍｍ、縦幅２００ｍｍそして厚さ２ｍｍとする。ダイヤモンドカッターなどを用いてこのシンチレータ板に横方向に５ｍｍ間隔で、縦方向に５ｍｍ間隔で幅０．６ｍｍそして深さ１．５ｍｍの溝を作る。横方向の溝に太さ０．５ｍｍの光ファイバを３本を配置し、縦方向の溝には、蛍光を反射する反射材として従来から使用されている蛍光反射材であるＡｌ2Ｏ3あるいはＭｇＯなどを埋め込む。この結果、横方向と縦方向の溝に区切られたＹ2ＳｉＯ5：Ｃｅを放射線検出媒体とした検出ピクセルを構成することができる。
【００３７】
５ｍｍx５ｍｍのサイズで厚さ２ｍｍの蛍光集光板である石英ガラスの上面にＹ2ＳｉＯ5：Ｃｅの粉末を塗り、241Ａｍアルファ線源を用いて約５ＭｅＶのアルファ線を放射線検出体に照射した時石英ガラスの側面に放射される蛍光の蛍光スペクトルを図９に示す。この結果、Ｙ2ＳｉＯ5：Ｃｅから発生する蛍光を石英ガラスを介してその側面で蛍光を検出できることがわかった。
【００３８】
従って、溝内に配置した光ファイバ束と上面に太さ０．５ｍｍの光ファイバを１０本を配置した太さ光ファイバ束により検出ピクセル内に入射した放射線の蛍光を検出することにより、放射線の２次元イメージを得ることができる。なお、光ファイバとしては４１０ｎｍに感度のある波長シフトファイバである米国バイクロン社製ＢＣＦ−９２などを使用することができる。
【００３９】
なお、実施例では検出媒体として粉末状の蛍光体を用いたが薄いシンチレータなどでも構成することができる。
（実施例８）
実施例８として、本発明による２次元放射線イメージ検出器について図１０を参照して述べる。 本発明は、蛍光波長を他の波長にシフトさせる機能を持つ波長シフター板の上面に、横方向および縦方向に決められた間隔でシンチレータ板の厚さの半分以上の深さの溝を作り、縦方向の溝に光ファイバ束を配置し、横方向の溝には、蛍光を反射する反射材を埋め込んだ構造とし、波長シフター板の下面に上記の光ファイバと直交する方向である横方向に光ファイバ束を配置し、上面に放射線により蛍光を発生する放射線検出体を置き、放射線検出体から発生する蛍光を波長シフター板の波長シフト機能により他の波長に変換し、波長変換された蛍光を波長シフター板の溝内に配置した光ファイバ束と上面あるいは下面に配置した光ファイバ束により検出することにより、放射線の２次元イメージを得ることを特長としている。本発明は、２次元放射線イメージ検出器の検出媒体として蛍光体、特に粉末上の蛍光体を用いる場合に使用される。たとえば、蛍光体としてはＸ線、β線あるいはα線の検出に使用されるＢａＦＢｒ：Ｅｕ2+、Ｙ2ＳｉＯ5：Ｃｅ、ＹＡｌＯ3：Ｃｅ、ＺｎＳ：Ａｇなどが使用できる。また、蛍光波長を他の波長にシフトさせる機能を持つ波長シフター板としては、プラスチック波長シフターなどを用いることができる。本実施例では、Ｙ2ＳｉＯ5：Ｃｅを蛍光体として用いる。蛍光寿命は４０ｎｓであり、蛍光波長は４１０ｎｍである。また、波長シフター板としては米国バイクロン社製プラスチック波長シフターＢＣ−４８４を用いる。実施例として、波長シフター板の大きさを横幅２００ｍｍ、縦幅２００ｍｍそして厚さ２ｍｍとする。ダイヤモンドカッターなどを用いてこの波長シフター板に横方向に５ｍｍ間隔で、縦方向に５ｍｍ間隔で幅０．６ｍｍそして深さ１．５ｍｍの溝を作る。横方向の溝に太さ０．５ｍｍの光ファイバを３本を配置し、縦方向の溝には、蛍光を反射する反射材として従来から使用されている蛍光反射材であるＡｌ2Ｏ3あるいはＭｇＯなどを埋め込む。この結果、横方向と縦方向の溝に区切られたＹ2ＳｉＯ5：Ｃｅを放射線検出媒体とした検出ピクセルを構成することができる。
【００４０】
５ｍｍx５ｍｍのサイズで厚さ２ｍｍの波長シフター板の上面にＹ2ＳｉＯ5：Ｃｅの粉末を塗り、241Ａｍアルファ線源を用いて約５ＭｅＶのアルファ線を放射線検出体に照射した時波長シフター板の側面に放射される波長シフトされた蛍光の蛍光スペクトルを図１１に示す。４１０ｎｍを中心波長とする蛍光が４３４ｎｍの蛍光に変換されたのがわかる。この結果、Ｙ2ＳｉＯ5：Ｃｅから発生する蛍光を波長シフター板を介してその側面で蛍光を検出できることがわかった。
【００４１】
従って、溝内に配置した光ファイバ束と上面に太さ０．５ｍｍの光ファイバを１０本を配置した太さ光ファイバ束により検出ピクセル内に入射した放射線の蛍光を検出することにより、放射線の２次元イメージを得ることができる。なお、光ファイバとしては４３４ｎｍに感度のある波長シフトファイバである米国クラレ社製Ｙ−７あるいはＹ−１１などを使用することができる。
【００４２】
なお、実施例では検出媒体として粉末状の蛍光体を用いたが薄いシンチレータなどでも構成することができる。
（実施例９）
実施例９として、本発明による２次元放射線イメージ検出器について図１２を参照して述べる。本発明は上記実施例６−８において、シンチレータ板、蛍光集光板あるいは波長シフター板の上面及び下面に、横方向について上面と下面交互に、および縦方向について上面と下面交互に、決められた間隔でシンチレータ板の厚さの半分以上の深さの溝を作り、この溝に蛍光を反射する反射材を埋め込むことにより、横方向と縦方向の溝で区切ることによって作られた検出ピクセル群を構成し、放射線の２次元イメージを得ることを特長としている。
【００４３】
本実施例では、上記実施例８をもとに波長シフター板のピクセルの構成方法を波長シフター板の上面と下面に、横方向について交互に、および縦方向についても交互に、決められた間隔でシンチレータ板の厚さの半分以上の深さの溝を作り、この溝に蛍光を反射する反射材を埋め込む方法に変えて、横方向と縦方向の溝で区切ることによって作られた検出ピクセル群を構成する。波長シフター板、放射線検出体及び波長シフトファイバなどは上記実施例８と同じ材料および構成を用いることができる。
（実施例１０）
実施例１０として、本発明による２次元放射線イメージ検出器について図１３を参照して述べる。本発明は、矩形のシンチレータブロックを横方向及び縦方向にそれぞれ平面に並べ、縦方向の各矩形のシンチレータブロックの相対する側面に光ファイバ束を配置し、横方向の相対する側面に反射材を配置し、かつシンチレータブロックの上面に反射材を配置すると共に、平面に並べたシンチレータブロックの下面に側面に配置した光ファイバ束と直交する方向である横方向に光ファイバ束を配置した構造とし、各矩形のシンチレータブロックに入射した放射線の蛍光をシンチレータブロックの側面に配置した光ファイバ束と下面に配置した光ファイバ束により検出することにより、放射線の２次元イメージを得ることを特長としている。
【００４４】
本実施例では、２次元放射線イメージ検出体の素材として使用される矩形のシンチレータとして、Ｌｉガラスシンチレータを用いる。蛍光寿命は６０ｎｓであり、蛍光波長は３９０ｎｍである。実施例として、１つのシンチレータブロックの大きさを横幅５ｍｍ、縦幅５ｍｍの正方形そして厚さ２ｍｍとする。このシンチレータブロックを横方向に１０個及び縦方向に１０個それぞれ平面に並べる。シンチレータブロックの縦方向の相対する側面に太さ０．５ｍｍの光ファイバを４本を配置し、横方向の側面には、蛍光を反射する反射材として従来から使用されている蛍光反射材であるＡｌ2Ｏ3あるいはＭｇＯなどを配置する。また、シンチレータブロックの上面にも蛍光反射材を配置する。１つのシンチレータブロックで検出ピクセルを構成する。シンチレータブロック下面に横方向に太さ０．５ｍｍの光ファイバを１０本を配置し、この光ファイバ束と上記シンチレータブロック側面に横方向に配置した光ファイバ束とを用い検出ピクセル内に入射した放射線の蛍光を検出することにより、放射線の２次元イメージを得ることができる。なお、光ファイバとしては３９０ｎｍの波長にも感度がある波長シフトファイバである米国バイクロン社製ＢＣＦ−９２などを使用することができる。
（実施例１１）
実施例１１として、本発明による２次元放射線イメージ検出器について図１４を参照して述べる。本発明は、矩形のシンチレータブロックを横方向及び縦方向にそれぞれ平面に並べ、縦方向の各矩形のシンチレータブロックの相対する側面に光ファイバ束を配置し、横方向の相対する側面に反射材を配置し、平面に並べたシンチレータブロックの上面及び下面に側面に配置した光ファイバ束と直交する方向である横方向に、光ファイバ束を配置した構造とし、各矩形のシンチレータブロックに入射した放射線の蛍光をシンチレータブロックの側面に配置した光ファイバ束と上面及び下面に配置した光ファイバ束により検出することにより、放射線の２次元イメージを得ることを特長としている。本実施例は、上記実施例１０においてシンチレータブロック上面に配置した反射材の代わりに、シンチレータブロック上面に横方向に太さ０．５ｍｍの光ファイバを１０本を配置することにより実現できる。この光ファイバ束とシンチレータブロック下面に横方向に配置した太さ０．５ｍｍの光ファイバ１０本とを合体し縦方向の光ファイバ束とし、シンチレータブロック側面に横方向に配置した光ファイバ束とを用いて検出ピクセル内に入射した放射線の蛍光を検出することにより、放射線の２次元イメージを得ることができる。
（実施例１２）
実施例１２として、本発明による２次元放射線イメージ検出器について図１５を参照して述べる。本発明は、矩形のシンチレータブロックを横方向及び縦方向にそれぞれ平面に並べ、縦方向の各矩形のシンチレータブロックの相対する側面に光ファイバ束を配置し、横方向の相対する側面に反射材を配置し、かつシンチレータブロックの上面に放射線により蛍光を発生する放射線検出体を配置すると共に、平面に並べたシンチレータブロックの下面に側面に配置した光ファイバ束と直交する方向に、光ファイバ束を配置した構造とし、各矩形のシンチレータブロックに入射した放射線の蛍光と放射線検出体から発生する蛍光をシンチレータブロックの側面に配置した光ファイバ束と下面に配置した光ファイバ束により検出することにより、放射線の２次元イメージを得ることを特長としている。
【００４５】
本実施例では、２次元放射線イメージ検出体の素材として使用される矩形のシンチレータブロックとして、Ｌｉガラスシンチレータを用いる。蛍光寿命は６０ｎｓであり、蛍光波長は３９０ｎｍである。実施例として、１つのシンチレータブロックの大きさを横幅５ｍｍ、縦幅５ｍｍの正方形そして厚さ２ｍｍとする。このシンチレータブロックを横方向に１０個及び縦方向に１０個それぞれ平面に並べる。シンチレータブロックの縦方向の相対する側面に太さ０．５ｍｍの光ファイバを４本を配置し、横方向の側面には、蛍光を反射する反射材として従来から使用されている蛍光反射材であるＡｌ2Ｏ3あるいはＭｇＯなどを配置する。また、シンチレータブロックの上面に放射線により蛍光を発生する放射線検出体を配置する。たとえば、放射線検出体としては、Ｘ線、β線あるいはα線の検出に使用される蛍光体でありかつＬｉガラスシンチレータの蛍光波長に近い蛍光波長をもつＢａＦＢｒ：Ｅｕ2+、Ｙ2ＳｉＯ5：Ｃｅ、ＹＡｌＯ3：Ｃｅなどの粉末を使用できる。このような構造の１つのシンチレータブロックで検出ピクセルを構成する。シンチレータブロック下面に横方向に太さ０．５ｍｍの光ファイバを４本を配置し、この光ファイバ束と上記シンチレータブロック側面に横方向に配置した光ファイバ束とを用い検出ピクセル内に入射した放射線の蛍光を検出することにより、放射線の２次元イメージを得ることができる。なお、光ファイバとしては３９０ｎｍの波長にも感度がある波長シフトファイバである米国バイクロン社製ＢＣＦ−９２などを使用することができる。
（実施例１３）
実施例１３として、本発明による２次元放射線イメージ検出器について図１６を参照して述べる。本発明は、蛍光波長を十分透過させる透過率を有する矩形の蛍光集光ブロックを横方向及び縦方向にそれぞれ平面に並べ、縦方向の各矩形の蛍光集光ブロックの相対する側面に光ファイバ束を配置し、横方向の相対する側面に反射材を配置し、かつ蛍光集光ブロックの上面に放射線により蛍光を発生する放射線検出体を配置すると共に、平面に並べた蛍光集光ブロックの下面に側面に配置した光ファイバ束と直交する方向である横方向に光ファイバ束を配置した構造とし、各矩形の蛍光集光ブロックに配置した放射線検出体から発生する蛍光を蛍光集光ブロックの側面に配置した光ファイバ束と下面に配置した光ファイバ束により検出することにより、放射線の２次元イメージを得ることを特長としている。
【００４６】
本実施例では、２次元放射線イメージ検出体の蛍光集光素材として使用される矩形の蛍光集光ブロックとして、石英ガラスを用いる。石英ガラスは３００ｎｍ以上の波長に対して十分な透過性能を有している。実施例として、１つの蛍光集光ブロックの大きさを横幅５ｍｍ、縦幅５ｍｍの正方形そして厚さ２ｍｍとする。この蛍光集光ブロックを横方向に１０個及び縦方向に１０個それぞれ平面に並べる。シンチレータの縦方向の相対する側面に太さ０．５ｍｍの光ファイバを４本を配置し、横方向の側面には、蛍光を反射する反射材として従来から使用されている蛍光反射材であるＡｌ2Ｏ3あるいはＭｇＯなどを配置する。そして、蛍光集光ブロックの上面に放射線により蛍光を発生する放射線検出体を配置する。たとえば、放射線検出体としては、Ｘ線、β線あるいはα線の検出に使用される蛍光体であるＢａＦＢｒ：Ｅｕ2+、Ｙ2ＳｉＯ5：Ｃｅ、ＹＡｌＯ3：Ｃｅ、ＺｎＳ：Ａｇなどの粉末を使用できる。このような構造の１つのシンチレータで検出ピクセルを構成する。蛍光集光ブロック下面に横方向に太さ０．５ｍｍの光ファイバを１０本を配置し、この光ファイバ束と上記シンチレータ側面に横方向に配置した光ファイバ束とを用い検出ピクセル内に入射した放射線の蛍光を検出することにより、放射線の２次元イメージを得ることができる。なお、光ファイバとしては３９０ｎｍから４５０ｎｍの波長に感度がある波長シフトファイバである米国バイクロン社製ＢＣＦ−９２あるいはクラレ社製Ｙ−１１などを蛍光波長に応じて使用することができる。
（実施例１４）
実施例１４として、本発明による２次元放射線イメージ検出器について図１７を参照して述べる。本発明は、蛍光波長を他の波長にシフトさせる機能を持つ矩形の波長シフターブロックを横方向及び縦方向にそれぞれ平面に並べ、縦方向の各矩形の波長シフターブロックの相対する側面に光ファイバ束を配置し、横方向の相対する側面に反射材を配置し、かつ波長シフターブロックの上面に放射線により蛍光を発生する放射線検出体を配置すると共に、平面に並べた波長シフターブロックの下面に側面に配置した光ファイバ束と直交する方向に、光ファイバ束を配置した構造とし、各矩形の波長シフターブロックに配置した放射線検出体から発生する蛍光を波長シフターブロックの波長シフト機能により他の波長に変換し、波長変換された蛍光を波長シフターブロックの側面に配置した光ファイバ束と下面に配置した光ファイバ束により検出することにより、放射線の２次元イメージを得ることを特長としている。
【００４７】
本実施例では、２次元放射線イメージ検出体の蛍光集光素材として使用される矩形の波長シフターブロックとして、プラスチック波長シフターである米国バイクロン社製プラスチック波長シフターＢＣ−４８４を用いる。このプラスチック波長シフターは３７０ｎｍの波長に対して十分な効率よく４３４ｎｍの蛍光に波長変換することができる。実施例として、１つの波長シフターブロックの大きさを横幅５ｍｍ、縦幅５ｍｍの正方形そして厚さ２ｍｍとする。この波長シフターブロックを横方向に１０個及び縦方向に１０個それぞれ平面に並べる。波長シフターブロックの縦方向の相対する側面に太さ０．５ｍｍの光ファイバを４本を配置し、横方向の側面には、蛍光を反射する反射材として従来から使用されている蛍光反射材であるＡｌ2Ｏ3あるいはＭｇＯなどを配置する。そして、波長シフターブロックの上面に放射線により蛍光を発生する放射線検出体を配置する。この時、効率良く波長シフトするため、蛍光波長が３７０ｎｍから４００ｎｍの蛍光体が使用できる。たとえば、放射線検出体としては、Ｘ線、β線あるいはα線の検出に使用される蛍光体であるＹＡｌＯ3：Ｃｅなどの粉末を使用できる。この蛍光体の蛍光寿命は３０ｎｓであり、蛍光波長は３７０ｎｍである。このような構造の１つのプラスチック波長シフターで検出ピクセルを構成する。波長シフターブロックの下面に横方向に太さ０．５ｍｍの光ファイバを１０本を配置し、この光ファイバ束と上記シンチレータ側面に横方向に配置した光ファイバ束とを用い検出ピクセル内に入射した放射線の蛍光を検出することにより、放射線の２次元イメージを得ることができる。光ファイバとしては４３４ｎｍに感度のある波長シフトファイバである米国クラレ社製Ｙ−７あるいはＹ−１１などを使用する
ことができる。
（実施例１５）
実施例１５として、本発明による２次元放射線イメージ検出器について図１８を参照して述べる。本発明は、矩形のシンチレータブロックを横方向及び縦方向にそれぞれ平面に並べ、縦方向の各矩形のシンチレータブロックの相対する側面に光ファイバ束を装着すると共に、横方向の各矩形のシンチレータブロックの相対する側面に光ファイバ束を配置し、かつシンチレータブロックの上面あるいは下面あるいは上面と下面に放射線により蛍光を発生する放射線検出体を配置した構造とし、各矩形のシンチレータブロックに入射した放射線の蛍光と上面あるいは下面あるいは上面と下面に配置した放射線検出体から発生する蛍光をシンチレータブロックの縦方向の側面と横方向の側面に配置した光ファイバ束とにより検出し、放射線の２次元イメージを得ることを特長としている。
【００４８】
本実施例では、２次元放射線イメージ検出体の素材として使用される矩形のシンチレータとして、Ｌｉガラスシンチレータを用いる。蛍光寿命は６０ｎｓであり、蛍光波長は３９０ｎｍである。実施例として、１つのシンチレータブロックの大きさを横幅５ｍｍ、縦幅５ｍｍの正方形そして厚さ２ｍｍとする。このシンチレータブロックを横方向に１０個及び縦方向に１０個それぞれ平面に並べる。シンチレータブロックの横方向の相対する側面に太さ０．５ｍｍの光ファイバを２本を配置すると共に縦方向の相対する側面に太さ０．５ｍｍの光ファイバを２本を配置する。シンチレータブロックの上面には、シンチレータブロックの下面に蛍光を反射する反射材として従来から使用されている蛍光反射材であるＡｌ2Ｏ3あるいはＭｇＯなどを配置する。本実施れでは、放射線検出体をシンチレータブロック上面に配置したが、下面あるいは上面及び下面に配置することもできる。このような構造の１つのシンチレータブロックで検出ピクセルを構成する。上記で述べたシンチレータブロック側面の横方向及び縦方向に配置した光ファイバ束を用い検出ピクセル内に入射した放射線の蛍光を検出することにより、放射線の２次元イメージを得ることができる。なお、光ファイバとしては３９０ｎｍの波長にも感度がある波長シフトファイバである米国バイクロン社製ＢＣＦ−９２などを使用することができる。
（実施例１６）
実施例１６として、本発明による２次元放射線イメージ検出器について図１９を参照して述べる。本発明は、蛍光波長を十分透過させる透過率を有する矩形の蛍光集光ブロックを横方向及び縦方向にそれぞれ平面に並べ、縦方向の各矩形の蛍光集光ブロックの相対する側面に光ファイバ束を装着すると共に、横方向の各矩形の蛍光集光ブロックの相対する側面に光ファイバ束を配置し、かつ蛍光集光ブロックの上面あるいは下面あるいは上面と下面に放射線により蛍光を発生する放射線検出体を配置した構造とし、各矩形の蛍光集光ブロックの上面あるいは下面あるいは上面と下面に配置した放射線検出体から発生する蛍光を蛍光集光ブロックの縦方向の側面と横方向の側面に配置した光ファイバ束とにより検出し、放射線の２次元イメージを得ることを特長としている。
【００４９】
本実施例では、２次元放射線イメージ検出体の素材として使用される矩形の蛍光集光ブロックとして、石英ガラスを用いる。石英ガラスは３００ｎｍ以上の波長に対して十分な透過性能を有している。実施例として、１つの蛍光集光ブロックの大きさを横幅５ｍｍ、縦幅５ｍｍの正方形そして厚さ２ｍｍとする。この蛍光集光ブロックを横方向に１０個及び縦方向に１０個それぞれ平面に並べる。蛍光集光ブロックの横方向の相対する側面に太さ０．５ｍｍの光ファイバを２本を配置すると共に縦方向の相対する側面に太さ０．５ｍｍの光ファイバを２本を配置する。蛍光集光ブロックの上面には、蛍光集光ブロックの下面に蛍光を反射する反射材として従来から使用されている蛍光反射材であるＡｌ2Ｏ3あるいはＭｇＯなどを配置する。本実施例では、放射線検出体を蛍光集光ブロック上面に配置したが、下面あるいは上面及び下面に配置することもできる。このような構造の１つの蛍光集光ブロックで検出ピクセルを構成する。上記で述べた蛍光集光ブロック側面の横方向及び縦方向に配置した光ファイバ束を用い検出ピクセル内に入射した放射線の蛍光を検出することにより、放射線の２次元イメージを得ることができる。なお、光ファイバとしては３９０ｎｍの波長にも感度がある波長シフトファイバである米国バイクロン社製ＢＣＦ−９２などを使用することができる。
（実施例１７）
実施例１７として、本発明による２次元放射線イメージ検出器について図２０を参照して述べる。本発明は、蛍光波長を他の波長にシフトさせる機能を持つ矩形の波長シフターブロックを横方向及び縦方向にそれぞれ平面に並べ、縦方向の各矩形の波長シフターブロックの相対する側面に光ファイバ束を装着すると共に、横方向の各矩形の波長シフターブロックの相対する側面に光ファイバ束を配置し、かつ波長シフターブロックの上面あるいは下面あるいは上下両面に放射線により蛍光を発生する放射線検出体を配置した構造とし、各矩形の波長シフターブロックの上面あるいは下面あるいは上下両面に配置した放射線検出体から発生する蛍光を波長シフターブロックの波長シフト機能により他の波長に変換し、波長変換された蛍光を波長シフターブロックの縦方向の側面と横方向の側面に配置した光ファイバ束とにより検出し、放射線の２次元イメージを得ることを特長としている。
【００５０】
本実施例では、２次元放射線イメージ検出体の素材として使用される矩形の波長シフターブロックとして、プラスチック波長シフターを用いる。２次元放射線イメージ検出体の蛍光集光素材として使用される矩形の波長シフターブロックとして、プラスチック波長シフターである米国バイクロン社製プラスチック波長シフターＢＣ−４８４を用いる。このプラスチック波長シフターは３７０ｎｍの波長に対して十分な効率よく４３４ｎｍの蛍光に波長変換することができる。実施例として、１つの波長シフターブロックの大きさを横幅５ｍｍ、縦幅５ｍｍの正方形そして厚さ２ｍｍとする。この波長シフターブロックを横方向に１０個及び縦方向に１０個それぞれ平面に並べる。波長シフターブロックの横方向の相対する側面に太さ０．５ｍｍの光ファイバを２本を配置すると共に縦方向の相対する側面に太さ０．５ｍｍの光ファイバを２本を配置する。波長シフターブロックの上面には、波長シフターブロックの下面に蛍光を反射する反射材として従来から使用されている蛍光反射材であるＡｌ2Ｏ3あるいはＭｇＯなどを配置する。本実施例では、放射線検出体を波長シフターブロック上面に配置したが、下面あるいは上面及び下面に配置することもできる。このような構造の１つの波長シフターブロックで検出ピクセルを構成する。上記で述べた波長シフターブロック側面の横方向及び縦方向に配置した光ファイバ束を用い検出ピクセル内に入射した放射線の蛍光を検出することにより、放射線の２次元イメージを得ることができる。なお、光ファイバとしては４３４ｎｍに感度のある波長シフトファイバである米国クラレ社製Ｙ−７あるいはＹ−１１などを使用することができる。
（実施例１８）
実施例１８として、本発明による２次元放射線イメージ検出器について図２１を参照して述べる。本発明は、実施例１５、１６及び１７で述べた矩形のシンチレータブロック、蛍光集光ブロック及び波長シフターブロックの各ブロックに、縦方向及び横方向の各矩形のブロックの相対する側面に光ファイバ束を配置する際に、図２１に示すように１つおきに縦方向及び横方向の光ファイバ束を上下にクロスさせるように配置し、検出ピクセル内に入射した放射線の蛍光を検出することにより、放射線の２次元イメージを得ることを特長としている。このような構造とすることにより光ファイバ束による蛍光検出効率を上げることができる。
（実施例１９）
実施例１９として、本発明による２次元放中性子イメージ検出器について図２２を参照して述べる。本発明は、実施例５から１８において、シンチレータとして少なくとも中性子コンバータである6Ｌｉ、10Ｂ、あるいはＧｄの１つの元素を含んだシンチレータを用い、かつ中性子検出体として中性子コンバータである6Ｌｉ、10Ｂ、あるいはＧｄの少なくとも１つの元素を含んだ材料を用いることにより、中性子の２次元イメージを得ることを特長とした２次元中性子イメージ検出器である。
【００５１】
実施例とし実施例６に本発明を適用した例について述べる。本実施例では、２次元中性子イメージ検出体の素材として使用されるシンチレータとして、中性子コンバータである6Ｌｉを含んだ6Ｌｉガラスシンチレータを用いる。本ガラスシンチレータとしては6Ｌｉの含有量が６．６％の米国バイクロン社製ＧＳ２０ 6Ｌｉガラスシンチレータなどを用いることができる。蛍光寿命は６０ｎｓであり、蛍光波長は３９０ｎｍである。実施例として、シンチレータ板の大きさを横幅２００ｍ、縦幅２００ｍｍそして厚さ２ｍｍとする。ダイヤモンドカッターなどを用いてこのシンチレータ板に横方向に５ｍｍ間隔で、縦方向に５ｍｍ間隔で幅０．６ｍｍそして深さ１．５ｍｍの溝を作る。横方向の溝に太さ０．５ｍｍの光ファイバを３本を配置し、縦方向の溝には、蛍光を反射する反射材として従来から使用されている蛍光反射材であるＡｌ2Ｏ3あるいはＭｇＯなどを埋め込む。横方向と縦方向の溝に区切られた検出ピクセルを構成する。中性子検出体としては、6Ｌｉガラスシンチレータの蛍光波長である３９０ｎｍとほぼ同じ波長の３７０ｎｍの蛍光波長のＹＡｌＯ3：Ｃｅの粉末に中性子コンバータである6ＬｉＦを混合した中性子検出媒体を使用できる。このような構造の１つの中性子に有感なシンチレータで検出ピクセルを構成する。
【００５２】
従って、溝内に配置した光ファイバ束と上面に太さ０．５ｍｍの光ファイバを１０本を配置した光ファイバ束により検出ピクセル内に入射した中性子による蛍光と中性子検出体に入射した中性子による蛍光とを検出することにより、中性子の２次元イメージを効率良く得ることができる。なお、光ファイバとしては３７０ｎｍから３９０ｎｍまでの波長に感度がある波長シフトファイバである米国バイクロン社製ＢＣＦ−９９−ＸＸ（特注）などを使用することができる。
（実施例２０）
実施例２０として、本発明による２次元放射線イメージ検出器について図２３を参照して述べる。本発明は、放射線が入射すると蛍光を発生する液体シンチレータを検出媒体とし、蛍光を反射できる材料で作られた格子状に区切られた反射体ブロックを液体シンチレータを封じ切ることができる検出容器に配置した後、液体シンチレータを満たし、放射線が入射して各格子内の液体シンチレータから発生した蛍光を、各格子の上部と下部に直交するように配置された光ファイバ束により検出し、放射線の２次元イメージを得ることを特長としている。
【００５３】
本実施例では、２次元放射線イメージ検出体の素材として使用される液体シンチレータとして、バイクロン社製ＢＣ−５０１Ａを用いる。蛍光寿命は３．２ｎｓであり、蛍光波長は４２５ｎｍである。実施例として、液体シンチレータを封じきる検出容器として検出容器内の横幅が１０ｃｍ及び縦幅が１０ｃｍの検出容器を用いることとする。内部の高さは４ｍｍとする。検出容器の上部の１つの横方向の側面に波長シフトファイバを並列に並べて配置するための矩形の挿入口を設ける。また、検出容器の下部の縦方向の側面に、波長シフトファイバを並列に並べて配置するための矩形の挿入口を設ける。検出容器はアルミニウムあるいはステンレススチールなどで製作することができる。また、１つの区画が５ｍｍの格子状の反射ブロックとして、全体サイズが横幅が１０ｃｍ及び縦幅が１０ｃｍで高さが２．８ｍｍのものを用いる。反射ブロックは表面が良く研磨されたアルミニウム板などで製作することができる。検出容器上部の横方向の側面にあけた矩形の光ファイバ挿入口を使って、本実施例の場合太さ０．５ｍｍの波長シフトファイバを２００本並列に並べて全検出容器内に配置する。また、検出容器下部の縦方向の側面にあけた矩形の光ファイバ挿入口を使って、本実施例の場合太さ０．５ｍｍの波長シフトファイバを２００本並列に並べて全検出容器内に配置する。上部に配置した波長シフトファイバ束と下部に配置した波長シフトファイバ束との間は３ｍｍあいているので、このスペースに上記の反射体ブロックを納める。横方向及び縦方向の５本の光ファイバが反射体ブロックの格子により作り出された検出ピクセルから発生する蛍光を検出することになる。光ファイバとしては４２５ｎｍの波長に有感な波長シフトファイバである米国バイクロン社製ＢＣＦ−９１などを使用することができる。検出容器内に上記の液体シンチレータを入れた後、各検出ピクセルに対応した横方向及び縦方向の光ファイバ束を用いて液体シンチレータ検出ピクセル内に入射した放射線の蛍光を検出することにより、放射線の２次元イメージを得ることができる。本実施例では、液体シンチレータとして、バイクロン社製ＢＣ−５０１Ａを用いたが、Ｘ線用である液体シンチレータに鉛あるいは錫を混ぜたＢＣ−５５１あるいはＢＣ−５５３なども目的に合わせて使用できる。
（実施例２１）
実施例２１として、本発明による２次元放射線イメージ検出器について図２４を参照して述べる。本発明は、放射線が入射すると蛍光を発生する液体シンチレータを検出媒体とし、液体シンチレータを封じ切ることができる検出容器内に液体シンチレータを満たし、縦方向と横方向に直交するように光ファイバ束を一定間隔で格子状にした光ファイバ検出ブロックを検出容器の厚さ方向に１個以上重ねて配置し、放射線が入射してそれぞれの格子内の液体シンチレータから発生した蛍光を、配置した光ファイバ検出ブロックにより検出し、放射線の２次元イメージを得ることを特長としている。
【００５４】
本実施例では、２次元放射線イメージ検出体の素材として使用される液体シンチレータとして、バイクロン社製ＢＣ−５０１Ａを用いる。蛍光寿命は３．２ｎｓであり、蛍光波長は４２５ｎｍである。実施例として、液体シンチレータを封じきる検出容器として検出容器内の横幅が１０ｃｍ及び縦幅が１０ｃｍの検出容器を用いることとする。厚さは２ｍｍとする。検出容器上部の横方向の側面に５ｍｍ間隔で光ファイバの形状に合わせた挿入口をあける。また、検出容器下部の縦方向の側面に５ｍｍ間隔で光ファイバの形状に合わせた挿入口をあける。実施例の場合、波長シフトファイバとして一片が１ｍｍの正方形形状した波長シフトファイバを用いる。検出容器はアルミニウムあるいはステンレススチールなどで製作することができる。検出容器上部の横方向の側面にあけた矩形の光ファイバ挿入口を使って、本実施例の場合太さ１ｍｍの正方形形状波長シフトファイバを５ｍｍ間隔に並べて全検出容器内に配置する。また、検出容器下部の縦方向の側面にあけた矩形の光ファイバ挿入口を使って、太さ１ｍｍの正方形形状波長シフトファイバを５ｍｍ間隔に並べて全検出容器内に配置する。光ファイバとしては４２５ｎｍの波長に有感な波長シフトファイバである米国バイクロン社製ＢＣＦ−９１などを使用することができる。検出容器内に上記の液体シンチレータを入れた後、各検出ピクセルに対応した横方向及び縦方向の光ファイバを用いて液体シンチレータ検出ピクセル内に入射した放射線の蛍光を検出することにより、放射線の２次元イメージを得ることができる。
（実施例２２）
実施例２２として、本発明による２次元放射線イメージ検出器について図２５を参照して述べる。本発明は、上記実施例２１において液体シンチレータを収納できる検出容器内の上部あるいは下部あるいは上部と下部の両方に放射線が入射すると蛍光を発生する放射線検出体を配置し、放射線検出体により発生する蛍光と放射線が入射してそれぞれの格子内の液体シンチレータから発生した蛍光を、光ファイバ束により検出し、放射線の２次元イメージを得ることを特長としている。
【００５５】
本実施例では、２次元放射線イメージ検出体の素材として使用される液体シンチレータとして、バイクロン社製ＢＣ−５０１Ａを用いる。蛍光寿命は３．２ｎｓであり、蛍光波長は４２５ｎｍである。実施例として、液体シンチレータを封じきる検出容器として検出容器内の横幅が１０ｃｍ及び縦幅が１０ｃｍの検出容器を用いることとする。内部の高さは２．６ｍｍとする。本実施例では、この検出容器内の上部及び下部の両面に放射線が入射すると蛍光を発生する放射線検出体を配置する。放射線検出体として、液体シンチレータの蛍光波長とほぼ同じ４１０ｎｍを放出する蛍光体であるＹ2ＳｉＯ5：Ｃｅを用いることとする。この蛍光体を２００μｍの厚さで検出容器の上部及び下部の両面に配置する。
検出容器上部の内面から３００μｍ下げた場所の横方向の側面に５ｍｍ間隔で光ファイバの形状に合わせた挿入口をあける。また、検出容器上部の内面から３００μｍ上げた場所の縦方向の側面に５ｍｍ間隔で光ファイバの形状に合わせた挿入口をあける。実施例の場合、波長シフトファイバとして一片が１ｍｍの正方形形状した波長シフトファイバを用いる。検出容器はアルミニウムあるいはステンレススチールなどで製作することができる。検出容器上部の横方向の側面にあけた矩形の光ファイバ挿入口を使って、本実施例の場合太さ１ｍｍの正方形形状波長シフトファイバを５ｍｍ間隔に並べて全検出容器内に配置する。また、検出容器下部の縦方向の側面にあけた矩形の光ファイバ挿入口を使って、太さ１ｍｍの正方形形状波長シフトファイバを５ｍｍ間隔に並べて全検出容器内に配置する。光ファイバとしては４２５ｎｍの波長に有感な波長シフトファイバである米国バイクロン社製ＢＣＦ−９１などを使用することができる。検出容器内に上記の液体シンチレータを入れた後、各検出ピクセルに対応した横方向及び縦方向の光ファイバを用いて、検出容器の上面と下面に配置した放射線検出体からの蛍光と液体シンチレータ検出ピクセル内に入射した放射線の蛍光を検出することにより、放射線の２次元イメージを得ることができる。
（実施例２３）
実施例２３として、本発明による２次元放射線イメージ検出器について図２６を参照して述べる。本発明は、上記実施例２０−２２において、液体シンチレータを収納できる検出容器に、液体シンチレータを循環するため、少なくともバルブ、配管、及びポンプから構成される液体シンチレータ循環機構を付加した構造の２次元放射線イメージ検出器である。放射線が大量に来た場合に液体シンチレータは放射線損傷により発光量が減少する。また、一様に放射線がこないため、検出感度が一様でなくなる。このような場合に、ポンプを用いて液体シンチレータを循環させることにより検出感度の一様性あるいは感度の劣化を防ぐことができる。当然、本構造の場合完全に劣化した場合には交換することが容易にできる。
（実施例２４）
実施例２４として、本発明による２次元中性子イメージ検出器について図２７を参照して述べる。本発明は、上記実施例２０−２３において、液体シンチレータの中に中性子コンバータである6Ｌｉ、10Ｂ、あるいはＧｄの少なくとも１つの元素を含んだ材料を混合し、かつ放射線検出体と組あわせる場合には放射線検出体に中性子コンバータである6Ｌｉ、10Ｂ、あるいはＧｄの少なくとも１つの元素を含んだ材料を混合し、中性子の２次元イメージを得ることを特長とした２次元中性子イメージ検出器である。
【００５６】
本実施例では、実施例２２をベースに２次元中性子イメージ化について述べる。中性子検出体の素材として使用される液体シンチレータとして、バイクロン社製ＢＣ−５２１を用いる。この液体シンチレータには中性子コンバータであるＧｄが１％含まれる。蛍光寿命は４ｎｓであり、蛍光波長は４２５ｎｍである。実施例として、液体シンチレータを封じきる検出容器として検出容器内の横幅が１０ｃｍ及び縦幅が１０ｃｍの検出容器を用いることとする。内部の高さは２．６ｍｍとする。本実施例では、この検出容器内の上部及び下部の両面に放射線が入射すると蛍光を発生する放射線検出体を配置する。中性子検出体として、液体シンチレータの蛍光波長とほぼ同じ４１０ｎｍを放出する蛍光体であるＹ2ＳｉＯ5：Ｃｅに6ＬｉＦを混合した検出媒体を用いることとする。この中性子検出体を２００μｍの厚さで検出容器の上部及び下部の両面に配置する。
【００５７】
検出容器上部の内面から３００μｍ下げた場所の横方向の側面に５ｍｍ間隔で光ファイバの形状に合わせた挿入口をあける。また、検出容器上部の内面から３００μｍあげた場所の縦方向の側面に５ｍｍ間隔で光ファイバの形状に合わせた挿入口をあける。実施例の場合、波長シフトファイバとして一片が１ｍｍの正方形形状した波長シフトファイバを用いる。検出容器はアルミニウムあるいはステンレススチールなどで製作することができる。検出容器上部の横方向の側面にあけた矩形の光ファイバ挿入口を使って、本実施例の場合太さ１ｍｍの正方形形状波長シフトファイバを５ｍｍ間隔に並べて全検出容器内に配置する。また、検出容器下部の縦方向の側面にあけた矩形の光ファイバ挿入口を使って、太さ１ｍｍの正方形形状波長シフトファイバを５ｍｍ間隔に並べて全検出容器内に配置する。光ファイバとしては４２５ｎｍの波長に有感な波長シフトファイバである米国バイクロン社製ＢＣＦ−９１などを使用することができる。検出容器内に上記の液体シンチレータを入れた後、各検出ピクセルに対応した横方向及び縦方向の光ファイバを用いて、検出容器の上面と下面に配置した中性子検出体からの蛍光と液体シンチレータ検出ピクセル内に入射した放射線の蛍光を検出することにより、中性子の２次元イメージを得ることができる。この構造とすることにより、中性子コンバータとして、中性子捕獲断面積の中性子エネルギー依存性が異なる中性子検出体を利用できることから、中性子エネルギーに対する感度の平坦化を図ることができる。
【００５８】
なお、本実施例では、中性子検出体の素材として液体シンチレータとして、バイクロン社製ＢＣ−５２１を用いているが、Ｂあるいは10Ｂが入ったＢＣ−５２３あるいはＢＣ−５２３Ａなども使用できる。
（実施例２５）
実施例２５として、本発明による２次元放射線イメージ検出器について図２８を参照して述べる。本発明は、上記実施例１−２４において、光ファイバ束から放出される蛍光を検出する光検出器としてストリークカメラを用い、ストリークカメラによって検出された光ファイバ束から放出される蛍光の時系列データを同時計測法に基づいて解析することにより放射線あるいは中性子の２次元イメージを収得することを特長とした、２次元放射線イメージ検出器あるいは２次元中性子イメージ検出器である。本実施例は、実施例１に適用した場合について述べる。本実施例ではシンチレータ板としては、従来よりＸ線あるいはα線等の電離放射線の検出媒体として使用されてきた米国バイクロン社製プラスチックシンチレータＢＣ−４１４などが使用できる。蛍光寿命は１．８であり、蛍光波長は３９２ｎｍである。実施例として、シンチレータ板の大きさを横幅１００ｍ、縦幅１００ｍｍそして厚さ２ｍｍとする。シンチレータ板に横方向に２ｍｍ間隔で、縦方向に２ｍｍ間隔で幅０．５ｍｍそして深さ１．５ｍｍの溝を作り従来から使用されている蛍光反射材であるＡｌ2Ｏ3あるいはＭｇＯなどを埋め込むことにより、横方向と縦方向の溝に区切られた検出ピクセルを構成する。
【００５９】
この２次元放射線イメージ検出体は、従来方法である検出ピクセル内に入射した放射線の蛍光を、２次元放射線イメージ検出体の上面にＸ方向の光ファイバ束をそして下面にＹ方向の光ファイバ束に格子状に配置し、同時計数法を適用することにより２次元放射線イメージ検出器が構成できる。光ファイバ束としてはプラスチックシンチレータＢＣ−４１４の蛍光波長にあったバイクロン社製ＢＣＦ−９２などを使用することができる。Ｘ方向とＹ方向の波長シフト光ファイバ束を横に並列に並べた後、レンズ等の光学系によりその幅をストリーク管の有感な横幅に調整する。ストリーク管としては、できるだけ横幅の有感部分の大きいタイプを選択する必要があり有感長として１８ｍｍの長さを持つ浜松フォトニクスＣ７７００などが使用可能である。光学系であるレンズ等により縮小されストリーク管の有感部分に入った波長シフトされた蛍光信号を、ストリーク管の制御回路により一定時間間隔でストリーク管の偏向板の偏向電圧を、ストリーク管の縦幅に相当する時間の間掃引し検出する。放射線検出体としてプラスチックシンチレータＢＣ−４１４を用いた場合蛍光寿命が１．８ｎｓであることからその約５倍の長さの時間１０ｎｓを時間分解能とする。このように蛍光寿命の数倍の時間を設定することにより、放射線が入射した際発生する蛍光をほぼ全部積分して検出することができる。縦幅に相当する時間掃引後ストリーク管の蛍光面にストリーク像を得ることができ、このストリーク像を撮像カメラで撮像する。撮像カメラとしては横１０００画素、縦１０００画素の検出特性を持つＣＣＤカメラを使用することができる。この時、有効な掃引時間はＣＣＤカメラの縦軸の画素数が１０００画素であるから１０ｎｓを１０００倍し１０μｓとなる。ＣＣＤカメラの映像信号を信号処理・解析装置によりデジタル化することにより、２つの光ファイバ束の時系列化されたデータを得ることができる。信号がこのデータは信号処理・解析装置内の記憶装置に記憶される。
【００６０】
記憶された光ファイバ束の２つの発光信号強度の時系列化データは信号処理・解析装置によって解析処理する。解析処理方法としては２つある。１つは、発光信号強度の時系列化データを光子計数モード、つまりある設定値より発光信号強度の値が大きい場合に光子が入ったとするモードで解析処理を行い横方向と縦方向に同時に入った場合に、その位置を放射線入射位置とする方法である。もう１つは、発光信号強度の値を２段階以上に分けて解析し、同時に２つ以上放射線が横方向あるいは縦方向の検出ピクセルに入射した場合でも解析できるようにしたモードである。この場合解析時間が増加する。また、同時計数の時間分解能としては、本実施例の場合１０ｎｓとして前後１画素の比較により位置の特定ができる。
【００６１】
このようにストリークカメラを用いることにより容易に多チャンネルの２次元光検出を高速にできるため、２次元放射線イメージ検出器あるいは２次元中性子イメージ検出器と組み合わせ飛行時間法などを用いて行う短時間に高計数率処理を必要とする研究に特に役立てることができる。
（実施例２６）
実施例２６として、本発明による２次元放射線イメージ検出器について図２９を参照して述べる。本発明は、シンチレータ、液体シンチレータあるいは蛍光体を検出媒体として用い、これらの検出媒体から発生する蛍光を直交する格子状に配置された横方向光ファイバ束及び縦方向光ファイバ束を用いて検出し放射線あるいは中性子の入射位置を求める２次元放射線イメージ検出器あるいは２次元中性子イメージ検出器において、横方向光ファイバ束及び縦方向光ファイバ束から放出される蛍光を光検出器と波高弁別器を用いて光子検出を行い、出力された横方向光子検出信号及び縦方向光子検出信号を基に放射線イメージを構成する場合に、波高弁別器から出力されるタイミングパルス信号を基に、再トリガ可能な状態でパルスを発生する再トリガブルパルス信号発生器を用いて検出媒体であるシンチレータ、液体シンチレータあるいは蛍光体の蛍光寿命に対応してポアソン分布に基づいて時間幅が決められ発生するパルス信号を発生させ、発生したパルス信号をもとに放射線あるいは中性子の２次元イメージを収得することを特長とした、２次元放射線イメージ検出器あるいは２次元中性子イメージ検出器である。図２９に示すように、本発明ではシンチレータ内に発生した蛍光をもとに作り出された横方向光電子増倍管出力信号及び縦方向光電子増倍管出力信号を基に放射線イメージを構成する場合に、図には示していない波高弁別器から出力されるタイミングパルス信号を基に再トリガ可能な状態でパルスを発生する再トリガブルパルス信号発生器を用いて検出媒体の蛍光寿命に対応してポアソン分布に基づいて時間幅が決められ発生するパルス信号を発生させる。発生した再トリガ可能横方向定時間幅パルス発生器出力信号と再トリガ可能縦方向定時間幅パルス発生器出力信号とを用いて、同時計数を行い出力される同時計数回路出力結果をもとに２次元放射線イメージを求める。この時、時間幅を蛍光寿命とほぼ同じ時間に設定すると最も効率よく同時計数効率をあげることができる。
【００６２】
一方、従来法では、同時計数効率を上げる必要があるため、蛍光寿命の２倍以上の時間幅を設定する。このため、従来法の一定時間幅を発生する定時間幅パルス発生器を用いるよりも、本発明では同時計数に用いるパルス時間幅を短くすることができるため、高計数率化を図ることができる。なお、時間幅が８０ｎｓ以上である場合には、市販のＴＴＬ集積回路素子であるＳＮ７４１２２あるいはＳＮ７４１２３などの再トリガ可能パルスジェネレータ素子により再トリガ可能定時間幅パルス発生器を作製することが容易にできる。
（実施例２７）
実施例２７として、本発明による２次元放射線イメージ検出器について図３０を参照して述べる。本発明は、シンチレータ、液体シンチレータあるいは蛍光体を検出媒体として用い、これらの検出媒体から発生する蛍光を直交する格子状に配置された横方向光ファイバ束及び縦方向光ファイバ束を用いて検出し放射線あるいは中性子の入射位置を求める２次元放射線イメージ検出器あるいは２次元中性子イメージ検出器において、横方向光ファイバ束及び縦方向光ファイバ束から出てくる蛍光を光検出器と波高弁別器を用いて光子検出を行い、出力された横方向光子検出信号及び縦方向光子検出信号を基に放射線イメージを構成する場合に、波高弁別器から出力されるタイミングパルス信号を基に、パルス信号発生器を用いて発生する決められた時間幅のパルス信号あるいは再トリガ可能な再トリガブルパルス信号発生器を用いてポアソン分布に基づいて時間幅が決められ発生するパルス信号を、パラレル信号入力回路と信号収録・解析装置を用いて時系列信号として収録し、収録した時系列信号を信号収録・解析装置を用いて同時計測法に基づき解析し、放射線あるいは中性子の２次元イメージを収得することを特長とした、２次元放射線イメージ検出器あるいは２次元中性子イメージ検出器である。
【００６３】
本実施例としては、実施例１９をもとに構成した構造の中性子の２次元イメージを得ることを特長とした２次元中性子イメージ検出器に本発明を適用した例を示す。横方向と縦方向についてはそれぞれ６ｘ６のシンチレータブロックを図３０に示すように用いる。また、実施例２６で述べた波高弁別器から出力されるタイミングパルス信号を基に再トリガ可能な再トリガ可能定時間幅パルス発生器を用いてポアソン分布に基づいて時間幅が決められ発生するパルス信号を、位置決定する際の同時計数用信号に使用する。
２次元中性子イメージ検出器のシンチレータ内に発生した蛍光を多チャンネル光電子増倍管を用いて電気信号とする。多チャンネル光電子増倍管としては浜松ホトニクス製の１６チャネル光電子増倍管Ｈ６５６８などが使用できる。この電気信号を用いて波高弁別器によりタイミングパルス信号を作る。このタイミングパルス信号を基に、再トリガ可能な状態でパルスを発生する再トリガ可能定時間幅パルス発生器を用いて検出媒体の蛍光寿命に対応してポアソン分布に基づいて時間幅が決められ発生する横方向光子検出信号及び縦方向光子検出信号を作り出す。これらの信号を高速のパラレルに信号入力回路であるパラレルインターフェイスを用いて信号収録装置であるデジタル信号収集装置に取り込み、データ記録装置に収録する。パラレルインターフェイスとしてはナショナルインストルメント社の３２チャンネルデータ収録ボードＰＣＩ−ＤＩＯ−３２ＨＳなどが使用できる。図３０ではパラレルインターフェイスを横方向と縦方向で別々に用意したが、１つのパラレルインターフェイスボードで処理することが可能である。また、このボードの場合、パルス信号を１００ｎｓ間隔で時系列信号として収録できる。収録した時系列信号をデータ解析装置を用いて実施例２６で例を示したような同時計数法に基づき解析し、放射線あるいは中性子の２次元イメージを得ることは容易にできる。
【図１】
2010072000.tif 000003
【図２】
2010072000.tif 000004
【図３】
2010072000.tif 000005
【図４】
2010072000.tif 000006
【図５】
2010072000.tif 000007
【図６】
2010072000.tif 000008
【図７】
2010072000.tif 000009
【図８】
2010072000.tif 000010
【図９】
2010072000.tif 000011
【図１０】
2010072000.tif 000012
【図１１】
2010072000.tif 000013
【図１２】
2010072000.tif 000014
【図１３】
2010072000.tif 000015
【図１４】
2010072000.tif 000016
【図１５】
2010072000.tif 000017
【図１６】
2010072000.tif 000018
【図１７】
2010072000.tif 000019
【図１８】
2010072000.tif 000020
【図１９】
2010072000.tif 000021
【図２０】
2010072000.tif 000022
【図２１】
2010072000.tif 000023
【図２２】
2010072000.tif 000024
【図２３】
2010072000.tif 000025
【図２４】
2010072000.tif 000026
【図２５】
2010072000.tif 000027
【図２６】
2010072000.tif 000028
【図２７】
2010072000.tif 000029
【図２８】
2010072000.tif 000030
【図２９】
2010072000.tif 000031
【図３０】
2010072000.tif 000032
【図３１】
2010072000.tif 000033
【図３２】
2010072000.tif 000034